(57)【要約】  ジッパークロージャを備えた袋と、そのような袋を作成する方法が開示される。袋は、第１及び第２の重ね合わされた平坦な側部と、袋の平坦な側部の間に配置されているとともに平坦な側部の側縁部において縁部領域に溶接された、折り畳まれた側部片とで形成される。袋は、それぞれの側の平坦な側部に接続された、側縁部から側縁部まで延在する雄部分と雌部分との形態の互いに作用するジッパー部分を含む。袋の最大限可能な開口部を実現するために、折り畳まれた側縁部は、袋の底縁部から袋の頂縁部まで延在している。側部片の中で、ジッパー部分が配置される領域に材料の薄くなる部分が設けられている。したがって、薄くなった領域における側部片は、雄部分と雌部分とが互いに噛み合うと同時に側部片の材料がそれらの間に圧締めされることを可能にする材料の厚さを有することになる。【選択図】図３
2018517630.tif 000002
【特許請求の範囲】
【請求項１】
第１及び第２の重ね合わされた平坦な側部と、袋の前記平坦な側部の間に配置されているとともに前記平坦な側部の側縁部において縁部領域に溶接された、折り畳まれた、挿入された側部片とで形成されており、それぞれの側の平坦な側部に接続された、側縁部から側縁部まで延在する雄部分と雌部分との形態の互いに作用するジッパー部分を含む、ジッパークロージャを備えた前記袋であって、前記折り畳まれた側部片が前記袋の底縁部から前記袋の頂縁部まで延在し、前記側部片の中で、前記ジッパー部分が配置される領域に材料の薄くなる部分が設けられていることで、薄くなった領域における前記側部片が、前記雄部分と前記雌部分とが互いに噛み合うと同時に前記側部片の材料がそれらの間に圧締めされることを可能にする材料の厚さを有することを特徴とする前記袋。
【請求項２】
前記ジッパー部分がストリップ形状であり、前記雄部分が突起を有し、前記雌部分が、前記雄部分の前記突起が前記雌部分の脚部の間に押し込まれる際、前記雄部分の前記突起と、前記折り畳まれた側部片とを収容するように適合されたくぼみを形成する２つの弾性の脚部でできていることを特徴とする、請求項１に記載の前記袋。
【請求項３】
薄くなった部分に向き合う領域における前記側部片が、５から２５μｍ、好ましくは１０から２０μｍの厚さを有することを特徴とする、請求項１または２に記載の前記袋。
【請求項４】
前記平坦な側部及び前記側部片が、５０から２００μｍ、好ましくは８０から１２０μｍの厚さを有するプラスチックフィルムで形成されていることを特徴とする、請求項１、２または３に記載の前記袋。
【請求項５】
前記重ね合わされたフィルムウェブが多層フィルムで作成されており、向い合っている前記第１及び第２の平坦な側部の少なくとも最も外側の層が、溶接可能なプラスチック材料で作成されており、前記平坦な側部に向いている前記側部片の少なくとも最も外側の層が、溶接可能なプラスチック材料で作成されていることを特徴とする、先行請求項のいずれか１項に記載の前記袋。
【請求項６】
互いから離れるように向いている前記第１及び前記第２の平坦な側部の少なくとも最も外側の層が、溶接不能なプラスチック材料で作成されていることを特徴とする、請求項５に記載の前記袋。
【請求項７】
前記溶接可能な材料がＰＥまたはＰＰであり、前記溶接不能なプラスチック材料がＰＥＴ、ＯＰＡまたはＯＰＰであることを特徴とする、請求項５または６に記載の前記袋。
【請求項８】
前記ジッパー部分が、前記平坦な側部に溶接または接着されていることを特徴とする、先行請求項のいずれか１項に記載の前記袋。
【請求項９】
前記薄くなる部分が、押し出し成形によって作製された前記薄くなる部分を備えた押し出し成形ウェブの袋の前記側部片を形成することによって形成されていることを特徴とする、先行請求項のいずれか１項に記載の前記袋。
【請求項１０】
前記袋に、折り畳まれた底部も備わっていることを特徴とする、先行請求項のいずれか１項に記載の前記袋。
【請求項１１】
互いに重ね合わされた第１及び第２の平坦な側部と、袋の前記平坦な側部の間に挿入されていてその間で折り畳まれた、前記平坦な側部の側縁部において縁部領域に溶接された側部片とで形成されており、それぞれの側の平坦な側部に接続された、側縁部から側縁部まで延在する雄部分と雌部分との形態の互いに作用するジッパー部分を含む、ジッパークロージャを備えた袋を作成する方法であって、前記折り畳まれた側部片を前記袋の底縁部から前記袋の頂縁部まで延在するように配置し、前記ジッパー部分を配置する前に、前記側部片の中で、前記ジッパー部分が設けられる領域に材料の薄くなる部分を設けることで、薄くなった領域における前記側部片に、前記雄部分と前記雌部分とが互いに噛み合うと同時に前記側部片の材料がそれらの間に圧締めされることを可能にする材料の厚さを与えることを特徴とする前記方法。
【請求項１２】
前記重ね合わされた平坦な側部を多層フィルムで作成し、向い合う前記第１及び第２の平坦な側部の少なくとも最も外側の層を溶接可能なプラスチック材料で作成し、前記平坦な側部を向く前記側部片の少なくとも最も外側の層を溶接可能なプラスチック材料で作成することを特徴とする、請求項１１に記載の前記方法。
【請求項１３】
互いから離れるほうを向く前記第１及び前記第２の平坦な側部の少なくとも最も外側の層を溶接不能なプラスチック材料で作成することを特徴とする、請求項１１または１２に記載の前記方法。
【請求項１４】
前記溶接可能な材料がＰＥまたはＰＰであり、前記溶接不能なプラスチック材料がＰＥＴ、ＯＰＡまたはＯＰＰであることを特徴とする、請求項１２または１３に記載の前記方法。
【請求項１５】
前記袋を、前記ジッパー部分が長いストリップ状のウェブの中に加えられる連続するウェブにおいて作成し、前記ウェブを、前記ジッパー部分が前記袋の前記側縁部の間に延在する個々の袋アイテムを形成するように切断することを特徴とする、請求項１１〜１４のいずれか１項に記載の前記方法。
【発明の詳細な説明】
【技術分野】
【０００１】
発明の分野
本発明は、ジッパークロージャを備えた袋に関し、この袋は、第１及び第２の重ね合わされた平坦な側部と、袋の平坦な側部の間に配置されているとともに平坦な側部の側縁部において縁部領域に溶接された、折り畳まれた、挿入された側部片とで形成されており、袋は、それぞれの側の平坦な側部に接続された、側縁部から側縁部まで延在する互いに作用するジッパー部分を含む。
【０００２】
本発明はさらに、ジッパークロージャを備えた袋を作成する方法にも関し、袋は、互いに重ね合わされた第１及び第２の平坦な側部と、袋の平坦な側部の間に挿入されていてその間で折り畳まれた、平坦な側部の側縁部において縁部領域に溶接された側部片とで形成されており、袋は、それぞれの側の平坦な側部に接続された、側縁部から側縁部まで延在する雄部分と雌部分とで形成された互いに作用するジッパー部分を含む。
【０００３】
ジッパー部分は典型的には、袋の頂縁部と平行に配置され、袋の開口部の範囲を定め、典型的には頂縁部から短い距離のところにある。
【０００４】
そのような袋は通常プラスチックフィルムで作成され、少なくとも互いに面するフィルム面は、溶接可能なプラスチック材料である。多層フィルムも同様に使用される。
【０００５】
袋には任意選択で、直立式の袋を形成するために折り畳まれた底部片が備わっている場合がある、または袋の平坦な側部が、袋の低縁部に沿って縁部領域において直接一緒に溶接される場合もある。
【背景技術】
【０００６】
発明の背景
折り畳まれた側部片を備えた袋は、袋の側縁部と底縁部とに沿って縁部領域を溶接することによって２つの平坦な側部が互いに直接接続される平坦な袋と比べて有利である。この利点は、進入するための開口部がより大きくなる点である。開口部は、より大きな矩形の断面を有して出現する。これは、迅速に行う場合がある充填作業による利点であり、また袋の内部により簡単に到達することができるため、袋の内容物を取り出す際の利点でもある。
【０００７】
ジッパーを備えた袋を使って作業する際、袋の側縁部においてジッパーのジッパー部分の周りの領域で完璧な密閉を達成するのは一般的に難しいことである。この問題は、袋の縁部の間に配置されたジッパー部分と一緒に溶接される袋の縁部に厚さの差が生じることによって生じる。
【０００８】
折り畳まれた側部片を備えた袋によって、折り畳まれた側部片で構成される側部片が、袋の平坦な側部におけるジッパー部分の周りの領域での厚さの差を拡大させるように寄与することとなるため、さらに難しくなる。
【０００９】
ＵＳ６７９６９３２より、折り畳まれた側部片が袋の底部からジッパーの下の位置まで伸びるこのタイプの袋の場合にもこのことは知られている。ジッパーは、袋の側縁部から側縁部まで延在している。平坦な側部の側縁部における縁部領域の溶接は、頂縁部からジッパーの下の位置まで確立される。このことは、袋の開口部が、平坦な側部の側縁部において互いの縁部領域に直接溶接される２つの平坦な側部で形成された従来式の平坦な袋の開口部に相当することを意味している。ＵＳ６７９６９３２からは、導入部に記載した方法も知られている。
【００１０】
実際、そのような袋に平坦な側部の一方に固定されて、折り畳まれた側部片の上部が袋の側部に固定されるような幅を有する、袋の側縁部から側縁部まで伸びるフィルムウェブを備えることも知られている。フィルムウェブは、袋の開口部に向かう方向に、ジッパー部分を超えて延出している。これによりさらなる厚さの差が生じることになる。
【００１１】
何年かの間、ジッパーを備えた袋に折り畳まれた側部片を与えるのと同時に、袋の開口部が、伸張した状態の折り畳まれた側縁部を備える袋の断面積と同じ断面積を有することを保証することは、知れ渡った課題であった。
【００１２】
したがって大きな開口部を設けることが可能である、導入部で言及したタイプの袋を示すことが望まれてきた。
【発明の概要】
【発明が解決しようとする課題】
【００１３】
発明の目的
本発明の目的は、ジッパークロージャを備え側部が折り畳まれた袋を提供することであり、この袋の開口部は、折り畳まれた側縁部が伸張した状態の袋の断面積と同じ断面積を有し、かつ袋の側縁部においてジッパーの周りの領域に密閉された袋を確立する課題は簡単な方法で解決される。さらにそのような袋を作成する方法も提供される。
【課題を解決するための手段】
【００１４】
発明の説明
本発明によると、この目的は、折り畳まれた側部片が袋の底縁部から袋の頂縁部まで延在する点と、この側部片の中で、ジッパー部分が配置される領域に材料の薄くなる部分が設けられることで、薄くなった領域における側部片が、雄部分と雌部分とが互いに噛み合うと同時に側部片の材料がそれらの間に圧締めされることを可能にする材料の厚さを有する点において特徴的である。
【００１５】
本発明による方法は、折り畳まれた側部片を袋の底縁部から袋の頂縁部まで延在するように配置する点と、ジッパー部分を配置する前に、側部片の中で、ジッパー部分を設けるべき領域に材料の薄くなる部分を設けることで、薄くなった領域における側部片に、雄部分と雌部分とが互いに噛み合うと同時に側部片の材料がそれらの間に圧締めされることを可能にする材料の厚さを与える点において特徴的である。
【００１６】
そのような袋を開封することによって、より大きな矩形の断面を有して出現する、進入するための開口部が実現される。これにより、急速に行われる場合がある充填作業がし易くなり、同様に矩形の開口部を介して袋の内部に達することが容易になるため、袋の内容物が取り出し易くなる。袋の開口部は、平坦な側部が直接一緒に溶接される袋の対応するサイズの開口部よりおよそ１５％大きくなる。
【００１７】
平坦な側部と側面に袋の用途によって決められた材料と厚さを与え、かつ側部片に、ジッパーに向き合う範囲が決められた領域に実質的により小さな厚さを与えることによって、袋を閉じる際、折り畳まれた側部片をジッパー部の間で押しつぶすことが可能になる。これにより完璧に漏れないクロージャが確立される。
【００１８】
したがって側部片が、２つのジッパー部分の噛み合いによる平坦な側部を圧締めする押しつぶす力によってジッパー部分を閉じる作業が可能になるような厚さを有することが重要である。
【００１９】
そのような材料の厚さの差を確立するために、薄くする作業は厚みのあるフィルムにおいて行われることが必須である。これは比較的簡単な工程である。
【００２０】
たとえジッパー要素によって厚さが大きくなったとしても、溶接用のジョーを十分に合わせるのにもはや何の問題も生じない。平坦な側部の側縁部におけるジッパー部分の周りの領域に生じる軽微な漏れ口はそれ故、ジッパー部分の間で側部の折り重なりを押しつぶす作用が袋の密閉式の閉鎖を確立することになるため問題とはならない。
【００２１】
よって、これまでに使用された改良型は、本発明による解決策によって回避される。導入部で言及した底縁部と頂縁部との間の袋の高さに対して短くした側部片を使用するのとは別に、袋の側縁部の間に完全には延在しない短くしたジッパー部分も使用されてきた。こうして、本発明による袋によって、連続するウェブにおいて袋を作成することが可能になり、ここではジッパー部分も同様に長いストリップ状のウェブの中に加えられ、袋の側縁部の間に延在する個々の袋アイテムを形成するためには単にジッパー部分を切断するだけでよい。
【００２２】
別の一実施形態によると、本発明による袋は、ジッパー部分がストリップ形状である点と、雄部分が突起を有する点と、雌部分が、雄部分の突起が雌部分の脚部の間に押し込まれる際、雄部分の突起と、折り畳まれた側部片とを収容するように適合されたくぼみを形成する２つの弾性の脚部でできている点において特徴的である。
【００２３】
突起は、キノコ型または矢印形状であってよく、雌部分のくぼみには、しっかりとした固定を確立するために対応するように設計されたくりぬき部分が備わっている。
【００２４】
雌部分の２つの弾性の脚部によって、側部片からのプラスチック材料が脚部の弾性によって保持されるようなやり方で雄部分を脚部の間に押し込むことが可能になる。
【００２５】
別の一実施形態によると、本発明による袋は、薄くなった部分に向き合う領域における側部片が、５から２５μｍ、好ましくは１０から２０μｍの厚さを有する点が特徴的である。一般的に使用されるジッパーによると、これは厳重なクロージャを実現することになる。
【００２６】
使用されるジッパーのサイズは典型的には、ジッパーの設計に関して２ｍｍの全体の幅と、１．８ｍｍの高さを有するように作成される。
【００２７】
別の一実施形態によると、本発明による袋は、平坦な側部及び側部片が、５０から２００μｍ、好ましくは８０から１２０μｍの厚さを有するプラスチックフィルムで形成される点が特徴的である。これらは一般的に使用されるフィルムの厚さである。
【００２８】
別の一実施形態によると、本発明による袋は、重ね合わされたフィルムウェブが多層フィルムで作成される点と、向い合っている第１及び第２の平坦な側部の少なくとも最も外側の層が、溶接可能なプラスチック材料で作成されている点と、平坦な側部に向いている側部片の少なくとも最も外側の層が、溶接可能なプラスチック材料で作成されている点において特徴的である。
【００２９】
別の一実施形態によると、本発明による袋は、互いから離れるほうを向いている第１及び第２の平坦な側部の少なくとも最も外側の層が、溶接不能なプラスチック材料で作成されている点において特徴的である。
【００３０】
袋は、好ましくは多層フィルムで作成されている。溶接作業が互いに噛み合うようになる溶接可能な材料の間のみで行われるため、これにより製造し易くなる。
【００３１】
別の一実施形態によると、本発明による袋は、溶接可能な材料がＰＥまたはＰＰである点と、溶接不能なプラスチック材料がＰＥＴ、ＯＰＡまたはＯＰＰである点において特徴的である。溶接可能なプラスチック材料と、溶接不能なプラスチック材料のどちらが好ましいかに関わらず、他のプラスチック材料を使用することも可能である。しかしながら言及したプラスチック材料は、実際にプラスチック製の袋を形成するのに最も使用されるものである。
【００３２】
別の一実施形態によると、本発明による袋は、ジッパー部分が平坦な側部に溶接または接着されている点において特徴的である。言及したように、ジッパー部分は、側面に取り付けられる。これは平坦な側部に対して直接溶接または接着することによって行うことができる。それ故、折り畳まれた側部片は、袋が閉じられる際、互いに作用するジッパー部分の間に圧締めされることになる。
【００３３】
別の一実施形態によると、本発明による袋は、薄くなる部分が、押し出し成形によって作製された薄くなる部分を備えた押し出し成形ウェブの袋の側部片を形成することによって形成されている点において特徴的である。平坦なノズルを利用してフィルムウェブを押し出すことによって、平坦なノズルの孔を側部片に所望される外形に適合させるだけで薄くなる部分を設けることは簡単である。
【００３４】
第１及び第２のプラスチックフィルムを作成するために多層フィルムを適用する場合、平坦な側部の最も外側の層は、薄くなる部分の深さに相当する厚さを有することが可能である。これにより薄くなる部分は、側部片を形成するのに使用される第２のプラスチックフィルムの厚さに一致する厚さを有する多層フィルムにおける最も外側の層によって簡単な方法で設けることができる。代替として、ウェブに、薄くなる部分の所望される幅に一致する共通の幅を有する外側フィルム層を設けることによって薄くなる部分が設けられる場合もある。
【００３５】
別の一実施形態によると、本発明による袋は、袋に折り畳まれた底部が同様に備わっている点において特徴的である。たとえ上記の袋が側部の折り重なりを備えるように説明されているとしても、袋は任意選択で、折り畳まれた底部を備える場合もある。本発明の利点は、袋の底部の設計に関係なく実現される。
【００３６】
別の一実施形態によると、本発明による方法は、重ね合わされた平坦な側部を多層フィルムで形成する点と、向い合う第１及び第２の平坦な側部の少なくとも最も外側の層を溶接可能なプラスチック材料で作成する点と、平坦な側部を向く側部片の少なくとも最も外側の層を溶接可能なプラスチック材料で作成する点において特徴的である。
【００３７】
別の一実施形態によると、本発明による方法は、互いから離れるほうを向く第１及び第２の平坦な側部の少なくとも最も外側の層を溶接不能なプラスチック材料で作成する点において特徴的である。
【００３８】
別の一実施形態によると、本発明による方法は、溶接可能な材料がＰＥまたはＰＰである点と、溶接不能なプラスチック材料がＰＥＴ、ＯＰＡまたはＯＰＰである点において特徴的である。
【００３９】
薄くなる部分は、ジッパー部分の幅に一致する幅を有する。薄くなる部分の幅が少なくともジッパー部分の幅に一致することを保証しさえすれば、異なる幅を有するように薄くなる部分を作成することも可能である。
【００４０】
薄くなる部分を押し出し成形によって形成することの代わりに、材料を除去する方法が適用される場合もある。これは、加熱式ジョーによって材料を燃やして取り除くことによって、または研磨作業によって行われる場合がある。
【００４１】
一般に、本発明による袋は、ウェブの形成によって作成される。
【００４２】
袋はこうして、平坦な側部によって接続される側部片と底部片とを備えるタイプの袋のウェブで形成される。故に、側部片及び底部片は通常、折り畳まれた側部及び／または底部となる。２つのフィルムウェブの間に、折り畳まれたフィルム片がこうして配置され、袋の折り畳まれた側部片を形成し、場合によっては底部片も同様に形成する。ウェブは、個々の袋を形成するために切り分けられる。袋にジッパーが備わっている場合、ジッパー部分が形成された袋を締めるために互いに作用することができるように、それらは２つの重ね合わされた袋のウェブの間に配置される。ジッパー部分は、側部片を配置する前に、袋のウェブに適用される長い長さになるように作成される。
【００４３】
袋のウェブを原理的に作成する一例は、例えばＵＳ６，７９６，９３２に見いだすことができる。しかしながら記載される方法は、側部片が袋のウェブの幅全体にわたって延在する点と、側部片を形成するのに使用されるフィルムウェブに、ジッパーの位置に向き合うように薄くなる部分が備わっている点において適応される。
【００４４】
図面の説明
本発明を添付の概略的な図面を参照してより詳細に説明することにする。
【図面の簡単な説明】
【００４５】
【図１】従来技術の袋の平面図を示す。
【図２】従来技術の袋の上面図を示す。
【図３】本発明による袋の図１に対応する図を示す。
【図４】本発明による袋の図２に対応する図を示す。
【図５Ａ】袋を開封した状態の図３の線Ｖ−Ｖにおける断面図を示す。
【図５Ｂ】袋を閉鎖した状態の図３の線Ｖ−Ｖにおける断面図を示す。
【図６】側部片を作成するのに使用するフィルムウェブの概略図を示す。
【図７】側部片の形成に使用する、図６に示されるフィルムウェブから切り取ったアイテムの図を示す。
【図８】図７に示されるアイテムが、袋アイテムの平坦な側部と側面とを形成する２つのフィルムウェブの間に配置される原理図を示す。
【図９】側部片を作成するのに使用される代替のフィルムウェブの図６に対応する概略図を示す。
【発明を実施するための形態】
【００４６】
発明の実施形態の詳細な説明
記載において、同一のまたは対応する要素には、同じ記号表示が与えられるが、本発明に関連する実施形態は、従来技術の実施形態の符号に１００を加えた符号を有する。故に、図１及び図２に示される従来技術の袋１は、本発明による袋を示す図３及び図４においては袋１０１として示されることになる。
【００４７】
図１及び図２に従来技術による袋１が見られる。袋１は、第１の平坦な側部２と、第２の平坦な側部３とで形成される。２つの平坦な側部の間に折り畳まれた側部片４が配置される。図１における破線５は、折り畳み部分を示しており、折り畳まれた側部片４の伸張部も同時に示す。側部片４は、平坦な側部の側縁部７に隣接する縁部領域６において平坦な側部２、３に溶接される。袋には、その底部に折り畳まれた底部片８が備わっており、その伸張部は、折り畳まれた底部片８の折り畳み部分を示す破線９によって示される。底部片８も同様に、袋の下部側縁部１１に隣接する縁部領域１０で平坦な側部に溶接される。
【００４８】
袋の上部側縁部１２には開口部１３が備わっている（図２を参照）。
【００４９】
袋１には、開口部１３を取り囲む袋の上部側縁部１２に平行して伸びるジッパー１４が備わっている。ジッパー１４は、袋の２つの対向する側縁部７の間に伸びている。
【００５０】
ジッパーは、ストリップ形状のジッパー部分１１６と１１７とで形成されており、これらの部分は、図５Ａ及び図５Ｂを参照してより詳細に説明される。
【００５１】
図１に、側部の折り重なり４が、ジッパー１４の下の位置に配置された上部の傾斜縁部５’を有するのが見られる。袋の厳重な閉鎖を保証するために、フィルムストリップ１６が、側部片４の上端を覆い、これを袋の平坦な側部２、３の片方に接着する。
【００５２】
図２では、図１に示される袋１は、開封される際、上から見られている。したがって開口部１３はレンズ状であり、縁部領域６における平坦な側部２、３の２つの直接の溶接部の間に延在しているように見える。
【００５３】
袋１はジッパー１４の下の位置において、袋の容積を拡大し、断面積を広げることが可能な折り畳まれた側部片４が備わっているにもかかわらず、袋は、開口部１３において図２に見られるような形状を有することになる。
【００５４】
本発明による袋１０１が図３及び図４に示されている。この袋は主に、折り畳まれた側部片１０４が、袋の高さ全体にわたって、袋の開口部１１３を取り囲む頂縁部１１２まで延在する点において異なっている。さらに側部片１０４は、以下に説明するように薄くなる部分１１５を形成することによって改良されている。図３における破線１０５は、折り畳み部分を示しており、折り畳まれた側部片１０４の伸張部も同時に示している。
【００５５】
詳細には、図４にはっきりと見られるように、折り畳まれた側部片１０４は、縁部領域１０６において溶接される。袋が開封される際、折り畳まれた側部片１０４は、図４に示されるように広げられる。袋の開口部１１３はこれにより、より大きな矩形の断面を有して出現する。故に、開口部１１３は、図２に示される開口部１３より実質的に大きくなる。
【００５６】
薄くなる部分１１５は、ジッパー１１４の位置における折り畳まれた側部片１０４において形成される。この薄くなる部分１１５は、図５〜図８によりはっきりと見られる。
【００５７】
図５Ａ及び図５Ｂは、開封した状態と、閉鎖した状態それぞれのジッパー１１４の状況を示している。
【００５８】
ジッパー１１４は、ジッパー部分１１６と１１７とで構成される。ジッパー要素１１６は雌部分である。ストリップ形状の要素の断面が示されている。雌部分は、くぼみ１１９を取り囲む弾性の脚部１１８を有する必要がある。雄部分１１７もまたストリップ形状であり、くぼみ１１９の中に収容されることが意図されたストリップ形状の突起１２０を有する。
【００５９】
図５Ａ及び図５Ｂに示されるように、ジッパーのところの領域内の折り畳まれた側部片１０４が互いに重ね合わされることで、ジッパー１１４に向き合う側部片の２つの折り重ねられた部分が生じる。２つのジッパー部分１１６と１１７に向かい合わせになるように薄くなる部分１１５が配置される。
【００６０】
ジッパー部分１１６及び１１７が、図５Ｂに示されるように噛み合うようになるとき、側部片１０４からの２つの薄い材料層が、くぼみ１１９の中で圧締めされ、突起１２０の係合によって固定される。脚部１１８の弾性により、側部片に向かい合わせに配置された付加的な材料の厚さはジッパー内に収容される。
【００６１】
図６は、薄くなる部分１１５が形成されるフィルムウェブ１２１を示す。矢印１２２は、ウェブを作製する方向を示している。ウェブが平坦なノズルにおける押し出し成形によって作成されることで、その作成工程中にフィルムウェブ１２１内に薄くなる部分１１５が出現する。ここでは、薄くなる部分における材料の厚さ１２３は、フィルムウェブ１２１の材料の厚さ１２４よりかなり小さくなることが明らかである。薄くなる部分１１５は、薄くなる部分１１５の両側に材料の厚さ１２４を有する凹部として出現する。ウェブは代替として、フィルム層が薄くなる部分において縮小された材料の厚さ１２３を形成する多層フィルムとして作成される場合もある。
【００６２】
薄くなる部分に向き合う材料の厚さは典型的には、５から２５μｍの間、好ましくは１０から２０μｍの間である。プラスチックフィルムの材料の厚さは典型的には、５０から２００μｍの間、好ましくは８０から１２０μｍの間である。
【００６３】
図７は、材料ウェブ１２１から切り取られ、その後、薄くなる部分１１５を管形状として外側に配置して管形状を形成するように折り畳まれたアイテム１２５を示している。
【００６４】
図８は、この管状アイテム１２５が、第１及び第２の袋の側部１０２及び１０３を形成するためにそれぞれ使用される第１のフィルムウェブ１２６と第２のフィルムウェブ１２７の間にどのように配置されるかを示している。
【００６５】
アイテム１２５はこのように、フィルムウェブ１２６と１２７が結合される際、平らになるように押しつぶされることになる。その後、破線１２８によって印がつけられた切断線において切断が行われる。アイテムはこうして、米国特許第６，７９６，９３２号に原理が記載された方法によって作成される袋の中に形成される側部片を構成することになる。
【００６６】
図８には、アイテム１２５を加える前に所定の位置でフィルムウェブ１２７に取り付けられた片方のジッパー要素１１７が見られる。ジッパー要素１１６は、フィルムウェブ１２６の底部側に配置されることになる。
【００６７】
アイテム１２５が２つのフィルムウェブの間に置かれる際、結果として、外側に向いている２つの薄くなる部分１１５は、ジッパー部分１１６、１１７の位置に向かい合わせに配置されることになる。
【００６８】
代替として、フィルムウェブの反対側に薄くなる部分１１５を有することも可能である。
【００６９】
フィルムウェブを矢印１２９によって示される方向に移動させることによって袋の作成が行われる。
【００７０】
図８は、製造工程の一部を例示しているにすぎないことに留意されたく、ついでながらＵＳ６，７９６，９３２に提示される製造工程の原理の記載も参照されたい。
【００７１】
図９は、薄くなる部分１１５が形成される代替のフィルムウェブ１２１を示している。矢印１２２は、ウェブを製造する方向を示している。ウェブは、平坦なノズルにおける押し出し成形によって作製されることで、薄くなる部分１１５がその作成工程中にフィルムウェブ１２１内に出現する。ここでは、薄くなる部分における材料の厚さ１２３は、フィルムウェブ１２１の材料の厚さ１２４よりかなり小さくなることが明らかである。薄くなる部分１１５は、薄くなる部分１１５の片側のみに材料の厚さ１２４を有する縁部領域として出現する。ウェブは代替として、多層フィルムとして作成される場合もあり、この場合、フィルム層は、薄くなる部分において縮小された材料の厚さ１２３を形成する。
【図１】
2018517630.tif 000003
【図２】
2018517630.tif 000004
【図３】
2018517630.tif 000005
【図４】
2018517630.tif 000006
【図５Ａ】
2018517630.tif 000007
【図５Ｂ】
2018517630.tif 000008
【図６】
2018517630.tif 000009
【図７】
2018517630.tif 000010
【図８】
2018517630.tif 000011
【図９】
2018517630.tif 000012
【手続補正書】
【提出日】平成29年4月11日(2017.4.11)
【手続補正１】
【補正対象書類名】明細書
【補正対象項目名】全文
【補正方法】変更
【補正の内容】
【発明の詳細な説明】
【技術分野】
【０００１】
発明の分野
本発明は、ジッパークロージャを備えた袋に関し、この袋は、第１のプラスチックフィルムで形成された第１及び第２の重ね合わされた平坦な側部と、第２のプラスチックフィルムで形成されていて袋の平坦な側部の間に配置されているとともに平坦な側部の側縁部において縁部領域に溶接された、折り畳まれた側部片とで形成されており、袋は、それぞれの側の平坦な側部に接続された、袋の側縁部から側縁部まで延在する互いに作用するジッパー部分を含む。
【０００２】
本発明はさらに、ジッパークロージャを備えた袋を作成する方法にも関し、袋は、互いに重ね合わされた第１及び第２の平坦な側部と、袋の平坦な側部の間に挿入されていてその間で折り畳まれた、平坦な側部の側縁部において縁部領域に溶接された側部片とで形成されており、袋は、それぞれの側の平坦な側部に接続された、袋の側縁部から側縁部まで延在する雄部分と雌部分とで形成された互いに作用するジッパー部分を含む。
【０００３】
ジッパー部分は典型的には、袋の頂縁部と平行に配置され、袋の開口部の範囲を定め、典型的には頂縁部から短い距離のところにある。
【０００４】
そのような袋は通常プラスチックフィルムで作成され、少なくとも互いに面するフィルム面は、溶接可能なプラスチック材料である。多層フィルムも同様に使用される。
【０００５】
袋には任意選択で、直立式の袋を形成するために折り畳まれた底部片が備わっている場合がある、または袋の平坦な側部が、袋の低縁部に沿って縁部領域において直接一緒に溶接される場合もある。
【背景技術】
【０００６】
発明の背景
折り畳まれた側部片を備えた袋は、袋の側縁部と底縁部とに沿って縁部領域を溶接することによって２つの平坦な側部が互いに直接接続される平坦な袋と比べて有利である。この利点は、進入するための開口部がより大きくなる点である。開口部は、より大きな矩形の断面を有して出現する。これは、迅速に行う場合がある充填作業による利点であり、また袋の内部により簡単に到達することができるため、袋の内容物を取り出す際の利点でもある。
【０００７】
ジッパーを備えた袋を使って作業する際、袋の側縁部においてジッパーのジッパー部分の周りの領域で完璧な密閉を達成するのは一般的に難しいことである。この問題は、袋の縁部の間に配置されたジッパー部分と一緒に溶接される袋の縁部に厚さの差が生じることによって生じる。
【０００８】
折り畳まれた側部片を備えた袋によって、折り畳まれた側部片で構成される側部片が、袋の平坦な側部におけるジッパー部分の周りの領域での厚さの差を拡大させるように寄与することとなるため、さらに難しくなる。
【０００９】
ＵＳ６７９６９３２より、折り畳まれた側部片が袋の底部からジッパーの下の位置まで伸びるこのタイプの袋の場合にもこのことは知られている。ジッパーは、袋の側縁部から側縁部まで延在している。平坦な側部の側縁部における縁部領域の溶接は、頂縁部からジッパーの下の位置まで確立される。このことは、袋の開口部が、平坦な側部の側縁部において互いの縁部領域に直接溶接される２つの平坦な側部で形成された従来式の平坦な袋の開口部に相当することを意味している。ＵＳ６７９６９３２からは、導入部に記載した方法も知られている。
【００１０】
実際、そのような袋に平坦な側部の一方に固定されて、折り畳まれた側部片の上部が袋の側部に固定されるような幅を有する、袋の側縁部から側縁部まで伸びるフィルムウェブを備えることも知られている。フィルムウェブは、袋の開口部に向かう方向に、ジッパー部分を超えて延出している。これによりさらなる厚さの差が生じることになる。
【００１１】
何年かの間、ジッパーを備えた袋に折り畳まれた側部片を与えるのと同時に、袋の開口部が、伸張した状態の折り畳まれた側縁部を備える袋の断面積と同じ断面積を有することを保証することは、知れ渡った課題であった。
【００１２】
したがって大きな開口部を設けることが可能である、導入部で言及したタイプの袋を示すことが望まれてきた。
【発明の概要】
【発明が解決しようとする課題】
【００１３】
発明の目的
本発明の目的は、ジッパークロージャを備え側部が折り畳まれた袋を提供することであり、この袋の開口部は、折り畳まれた側縁部が伸張した状態の袋の断面積と同じ断面積を有し、かつ袋の側縁部においてジッパーの周りの領域に密閉された袋を確立する課題は簡単な方法で解決される。さらにそのような袋を作成する方法も提供される。
【課題を解決するための手段】
【００１４】
発明の説明
本発明によると、この目的は、折り畳まれた側部片が袋の底縁部から袋の頂縁部まで延在する点と、この側部片の中で、側部片に配置されたジッパー部分に向かい合わせの領域に材料の薄くなる部分が設けられることで、薄くなった領域における側部片が、雄部分と雌部分とが互いに噛み合うと同時に側部片の材料がそれらの間に圧締めされることを可能にする材料の厚さを有する点と、薄くなる部分を備える第２のプラスチックフィルムが多層フィルムで作成され、フィルム層は、薄くなる部分において縮小された材料の厚さを形成する点において特徴的である。
【００１５】
本発明による方法は、方法が、第１及び第２の平坦な側部を設けるステップと、平坦な側部を重ね合わせ、ジッパー部分を設け、それらを平坦な側部上に配置するステップと、平坦な側部の間に、袋の底縁部から袋の頂縁部まで延在する折り畳まれた側部片を配置するステップとを含む点と、ジッパー部分を配置する前に、側部片の中で、側部片に設けられたジッパー部分に向かい合わせの領域に材料の薄くなる部分を設けることで、薄くなった領域における側部片に、雄部分と雌部分とが互いに噛み合うと同時に側部片の材料がそれらの間に圧締めされることを可能にする材料の厚さを与える点と、第２のプラスチックフィルムが、多層フィルムで作成された薄くなる部分を備え、フィルム層は、薄くなる部分において縮小された材料の厚さを形成する点において特徴的である。
【００１６】
そのような袋を開封することによって、より大きな矩形の断面を有するようにして出現する進入するための開口部が実現される。これにより、急速に行われる場合がある充填作業がし易くなり、同様に矩形の開口部を介して袋の内部に達することが容易になるため、袋の内容物が取り出し易くなる。袋の開口部は、平坦な側部が直接一緒に溶接される袋の対応するサイズの開口部よりおよそ１５％大きくなる。
【００１７】
平坦な側部と側面に袋の用途によって決められた材料と厚さを与え、かつ側部片に、ジッパーに向き合う範囲が決められた領域に実質的により小さな厚さを与えることによって、袋を閉じる際、折り畳まれた側部片をジッパー部の間で押しつぶすことが可能になる。これにより完璧に漏れないクロージャが確立される。
【００１８】
したがって側部片が、２つのジッパー部分の噛み合いによる平坦な側部を圧締めする押しつぶす力によってジッパー部分を閉じる作業が可能になるような厚さを有することが重要である。
【００１９】
そのような材料の厚さの差を確立するために、薄くする作業は厚みのあるフィルムにおいて行われることが必須である。これは比較的簡単な工程である。
【００２０】
たとえジッパー要素によって厚さが大きくなったとしても、溶接用のジョーを十分に合わせるのにもはや何の問題も生じない。平坦な側部の側縁部におけるジッパー部分の周りの領域に生じる軽微な漏れ口はそれ故、ジッパー部分の間で側部の折り重なりを押しつぶす作用が袋の密閉式の閉鎖を確立することになるため問題とはならない。
【００２１】
よって、これまでに使用された改良型は、本発明による解決策によって回避される。導入部で言及した底縁部と頂縁部の間の袋の高さに対して短くした側部片を使用するのとは別に、袋の側縁部の間に完全には延在しない短くしたジッパー部分も使用されてきた。こうして、本発明による袋によって、連続するウェブにおいて袋を作成することが可能になり、ここではジッパー部分も同様に長いストリップ状のウェブの中に加えられ、袋の側縁部の間に延在する個々の袋アイテムを形成するためには単にジッパー部分を切断するだけでよい。
【００２２】
別の一実施形態によると、本発明による袋は、ジッパー部分がストリップ形状である点と、雄部分が突起を有する点と、雌部分が、雄部分の突起が雌部分の脚部の間に押し込まれる際、雄部分の突起と、折り畳まれた側部片とを収容するように適合されたくぼみを形成する２つの弾性の脚部でできている点において特徴的である。
【００２３】
突起は、キノコ型または矢印形状であってよく、雌部分のくぼみには、しっかりとした固定を確立するために対応するように設計されたくりぬき部分が備わっている。
【００２４】
雌部分の２つの弾性の脚部によって、側部片からのプラスチック材料が脚部の弾性によって保持されるようなやり方で雄部分を脚部の間に押し込むことが可能になる。
【００２５】
別の一実施形態によると、本発明による袋は、薄くなった部分に向き合う領域における側部片が、５μｍから２５μｍ、好ましくは１０から２０μｍの厚さを有する点が特徴的である。一般的に使用されるジッパーによると、これは厳重なクロージャを実現することになる。
【００２６】
使用されるジッパーのサイズは典型的には、ジッパーの設計に関して２ｍｍの全体の幅と、１．８ｍｍの高さを有するように作成される。
【００２７】
別の一実施形態によると、本発明による袋は、平坦な側部及び側部片が、５０から２００μｍ、好ましくは８０から１２０μｍの厚さを有するプラスチックフィルムで形成される点が特徴的である。これらは一般的に使用されるフィルムの厚さである。
【００２８】
別の一実施形態によると、本発明による袋は、重ね合わされたフィルムウェブが多層フィルムで作成される点と、向い合っている第１及び第２の平坦な側部の少なくとも最も外側の層が、溶接可能なプラスチック材料で作成されている点と、平坦な側部に向いている側部片の少なくとも最も外側の層が、溶接可能なプラスチック材料で作成されている点において特徴的である。
【００２９】
別の一実施形態によると、本発明による袋は、互いから離れるほうを向いている第１及び第２の平坦な側部の少なくとも最も外側の層が、溶接不能なプラスチック材料で作成される点において特徴的である。
【００３０】
袋は、好ましくは多層フィルムで作成されてる。溶接作業が互いに噛み合うようになる溶接可能な材料の間のみで行われるため、これにより製造し易くなる。
【００３１】
別の一実施形態によると、本発明による袋は、溶接可能な材料がＰＥまたはＰＰである点と、溶接不能なプラスチック材料がＰＥＴ、ＯＰＡまたはＯＰＰである点において特徴的である。溶接可能なプラスチック材料と、溶接不能なプラスチック材料のどちらが好ましいかに関わらず、他のプラスチック材料を使用することも可能である。しかしながら言及したプラスチック材料は、実際にプラスチック製の袋を形成するのに最も使用されるものである。
【００３２】
別の一実施形態によると、本発明による袋は、ジッパー部分が平坦な側部に溶接または接着されている点において特徴的である。言及したように、ジッパー部分は、側面に取り付けられる。これは平坦な側部に対して直接溶接または接着することによって行うことができる。それ故、折り畳まれた側部片は、袋が閉じられる際、互いに作用するジッパー部分の間に圧締めされることになる。
【００３３】
別の一実施形態によると、本発明による袋は、薄くなる部分が、押し出し成形によって作製された薄くなる部分を備えた押し出し成形ウェブの袋の側部片を形成することによって形成されている点において特徴的である。平坦なノズルを利用してフィルムウェブを押し出すことによって、平坦なノズルの孔を側部片に所望される外形に適合させるだけで薄くなる部分を設けることは簡単である。
【００３４】
別の一実施形態によると、本発明による袋は、袋に折り畳まれた底部が同様に備わっている点において特徴的である。たとえ上記の袋が側部の折り重なりを備えるように説明されているとしても、袋は任意選択で、折り畳まれた底部を備える場合もある。本発明の利点は、袋の底部の設計に関係なく実現される。
【００３５】
別の一実施形態によると、本発明による方法は、重ね合わされた平坦な側部を多層フィルムで形成する点と、向い合う第１及び第２の平坦な側部の少なくとも最も外側の層を溶接可能なプラスチック材料で作成する点と、平坦な側部を向く側部片の少なくとも最も外側の層を溶接可能なプラスチック材料で作成する点において特徴的である。
【００３６】
別の一実施形態によると、本発明による方法は、互いから離れるほうを向く第１及び第２の平坦な側部の少なくとも最も外側の層を溶接不能なプラスチック材料で作成する点において特徴的である。
【００３７】
別の一実施形態によると、本発明による方法は、溶接可能な材料がＰＥまたはＰＰである点と、溶接不能なプラスチック材料がＰＥＴ、ＯＰＡまたはＯＰＰである点において特徴的である。
【００３８】
薄くなる部分は、ジッパー部分の幅に一致する幅を有する。薄くなる部分の幅が少なくともジッパー部分の幅に一致することを保証しさえすれば、異なる幅を有するように薄くなる部分を作成することも可能である。
【００３９】
薄くなる部分を押し出し成形によって形成することの代わりに、材料を除去する方法が適用される場合もある。これは、加熱式ジョーによって材料を燃やして取り除くことによって、または研磨作業によって行われる場合がある。
【００４０】
一般に、本発明による袋は、ウェブの形成によって作成される。
【００４１】
袋はこうして、平坦な側部によって接続される側部片と底部片とを備えるタイプの袋のウェブで形成される。故に、側部片及び底部片は通常、折り畳まれた側部及び／または底部となる。２つのフィルムウェブの間に、折り畳まれたフィルム片がこうして配置され、袋の折り畳まれた側部片を形成し、場合によっては底部片も同様に形成する。ウェブは、個々の袋を形成するために切り分けられる。袋にジッパーが備わっている場合、ジッパー部分が形成された袋を締めるために互いに作用することができるように、それらは２つの重ね合わされた袋のウェブの間に配置される。ジッパー部分は、側部片を配置する前に、袋のウェブに適用される長い長さになるように作成される。
【００４２】
袋のウェブを原理的に作成する一例は、例えばＵＳ６，７９６，９３２に見いだすことができる。しかしながら記載される方法は、側部片が袋のウェブの幅全体にわたって延在する点と、側部片を形成するのに使用されるフィルムウェブに、ジッパーの位置に向き合うように薄くなる部分が備わっている点において適応される。
【００４３】
図面の説明
本発明を添付の概略的な図面を参照してより詳細に説明することにする。
【図面の簡単な説明】
【００４４】
【図１】従来技術の袋の平面図を示す。
【図２】従来技術の袋の上面図を示す。
【図３】本発明による袋の図１に対応する図を示す。
【図４】本発明による袋の図２に対応する図を示す。
【図５Ａ】袋を開封した状態の図３の線Ｖ−Ｖにおける断面図を示す。
【図５Ｂ】袋を閉鎖した状態の図３の線Ｖ−Ｖにおける断面図を示す。
【図６】側部片を作成するのに使用するフィルムウェブの概略図を示す。
【図７】側部片の形成に使用する図６に示されるフィルムウェブから切り取ったアイテムの図を示す。
【図８】図７に示されるアイテムが、袋アイテムの平坦な側部と側面とを形成する２つのフィルムウェブの間に配置される原理図を示す。
【図９】側部片を作成するのに使用される代替のフィルムウェブの図６に対応する概略図を示す。
【発明を実施するための形態】
【００４５】
発明の実施形態の詳細な説明
記載において、同一のまたは対応する要素は、同じ記号表示が与えられるが、本発明に関連する実施形態は、従来技術の実施形態の符号に１００を加えた符号を有する。故に、図１及び図２に示される従来技術の袋１は、本発明による袋を示す図３及び図４においては袋１０１として示されることになる。
【００４６】
図１及び図２に従来技術による袋１が見られる。袋１は、第１の平坦な側部２と、第２の平坦な側部３とで形成される。２つの平坦な側部の間に折り畳まれた側部片４が配置される。図１における破線５は、折り畳み部分を示しており、折り畳まれた側部片４の伸張部も同時に示す。側部片４は、平坦な側部の側縁部７に隣接する縁部領域６において平坦な側部２、３に溶接される。袋には、その底部に折り畳まれた底部片８が備わっており、その伸張部は、折り畳まれた底部片８の折り畳み部分を示す破線９によって示される。底部片８も同様に、袋の下部側縁部１１に隣接する縁部領域１０で平坦な側部に溶接される。
【００４７】
袋の上部側縁部１２には開口部１３が備わっている（図２を参照）。
【００４８】
袋１には、開口部１３を取り囲む袋の上部側縁部１２に平行して伸びるジッパー１４が備わっている。ジッパー１４は、袋の２つの対向する側縁部７の間に伸びている。
【００４９】
ジッパーは、ストリップ形状のジッパー部分１１６と１１７とで形成されており、これらの部分は、図５Ａ及び図５Ｂを参照してより詳細に説明される。
【００５０】
図１に、側部の折り重なり４が、ジッパー１４の下の位置に配置された上部の傾斜縁部５’を有するのが見られる。袋の厳重な閉鎖を保証するために、フィルムストリップ１６が、側部片４の上端を覆い、これを袋の平坦な側部２、３の片方に接着する。
【００５１】
図２では、図１に示される袋１は、開封される際、上から見られている。したがって開口部１３はレンズ状であり、縁部領域６における平坦な側部２、３の２つの直接の溶接部の間に延在しているように見える。
【００５２】
袋１はジッパー１４の下の位置において、袋の容積を拡大し、断面積を広げることが可能な折り畳まれた側部片４が備わっているにもかかわらず、袋は、開口部１３において図２に見られるような形状を有することになる。
【００５３】
本発明による袋１０１が図３及び図４に示されている。この袋は主に、折り畳まれた側部片１０４が、袋の高さ全体にわたって、袋の開口部１１３を取り囲む頂縁部１１２まで延在する点において異なっている。さらに側部片１０４は、以下に説明するように薄くなる部分１１５を形成することによって改良されている。図３における破線１０５は、折り畳み部分を示しており、折り畳まれた側部片１０４の伸張部も同時に示している。
【００５４】
詳細には、図４にはっきりと見られるように、折り畳まれた側部片１０４は、縁部領域１０６において溶接される。袋が開封される際、折り畳まれた側部片１０４は、図４に示されるように広げられる。袋の開口部１１３はこれにより、より大きな矩形の断面を有して出現する。故に、開口部１１３は、図２に示される開口部１３より実質的に大きくなる。
【００５５】
薄くなる部分１１５は、ジッパー１１４の位置における折り畳まれた側部片１０４において形成される。この薄くなる部分１１５は、図５〜図８によりはっきりと見られる。
【００５６】
図５Ａ及び図５Ｂは、開封した状態と、閉鎖した状態それぞれのジッパー１１４の状況を示している。
【００５７】
ジッパー１１４は、ジッパー部分１１６と１１７とで構成される。ジッパー要素１１６は雌部分である。ストリップ形状の要素の断面が示されている。雌部分は、くぼみ１１９を取り囲む弾性の脚部１１８を有する必要がある。雄部分１１７もまたストリップ形状であり、くぼみ１１９の中に収容されることが意図されたストリップ形状の突起１２０を有する。
【００５８】
図５Ａ及び図５Ｂに示されるように、ジッパーのところの領域内の折り畳まれた側部片１０４が互いに重ね合わされることで、ジッパー１１４に向き合う側部片の２つの折り重ねられた部分が生じる。２つのジッパー部分１１６と１１７に向かい合わせになるように薄くなる部分１１５が配置される。
【００５９】
ジッパー部分１１６及び１１７が、図５Ｂに示されるように噛み合うようになるとき、側部片１０４からの２つの薄い材料層が、くぼみ１１９の中で圧締めされ、突起１２０の係合によって固定される。脚部１１８の弾性により、側部片に向かい合わせに配置された付加的な材料の厚さはジッパー内に収容される。
【００６０】
図６は、薄くなる部分１１５が形成されるフィルムウェブ１２１を示す。矢印１２２は、ウェブを作製する方向を示している。ウェブが平坦なノズルにおける押し出し成形によって作成されることで、その作成工程中にフィルムウェブ１２１内に薄くなる部分１１５が出現する。ここでは、薄くなる部分における材料の厚さ１２３は、フィルムウェブ１２１の材料の厚さ１２４よりかなり小さくなることが明らかである。薄くなる部分１１５は、薄くなる部分１１５の両側に材料の厚さ１２４を有する凹部として出現する。ウェブは代替として、フィルム層が薄くなる部分において縮小された材料の厚さ１２３を形成する多層フィルムとして作成される場合もある。
【００６１】
薄くなる部分に向き合う材料の厚さは典型的には、５から２５μｍの間、好ましくは１０から２０μｍの間である。プラスチックフィルムの材料の厚さは典型的には、５０から２００μｍの間、好ましくは８０から１２０μｍの間である。
【００６２】
図７は、材料ウェブ１２１から切り取られ、その後、薄くなる部分１１５を管形状として外側に配置して管形状を形成するように折り畳まれたアイテム１２５を示している。
【００６３】
図８は、この管状製品１２５が、第１及び第２の袋の側部１０２及び１０３を形成するためにそれぞれ使用される第１のフィルムウェブ１２６と第２のフィルムウェブ１２７の間にどのように配置されるかを示している。
【００６４】
アイテム１２５はこのように、フィルムウェブ１２６と１２７が結合される際、平らになるように押しつぶされることになる。その後、破線１２８によって印がつけられた切断線において切断が行われる。アイテムはこうして、米国特許第６，７９６，９３２号に原理が記載された方法によって作成される袋の中に形成される側部片を構成することになる。
【００６５】
図８には、アイテム１２５を加える前に所定の位置でフィルムウェブ１２７に取り付けられた片方のジッパー要素１１７が見られる。ジッパー要素１１６は、フィルムウェブ１２６の底部側に配置されることになる。
【００６６】
製品１２５が２つのフィルムウェブの間に置かれる際、結果として、外側に向いている２つの薄くなる部分１１５は、ジッパー部分１１６、１１７の位置に向かい合わせに配置されることになる。
【００６７】
代替として、フィルムウェブの反対側に薄くなる部分１１５を有することも可能である。
【００６８】
フィルムウェブを矢印１２９によって示される方向に移動させることによって袋の作成が行われる。
【００６９】
図８は、製造工程の一部を例示しているにすぎないことに留意されたく、ついでながらＵＳ６，７９６，９３２に提示される製造工程の原理の記載も参照されたい。
【００７０】
図９は、薄くなる部分１１５が形成される代替のフィルムウェブ１２１を示している。矢印１２２は、ウェブを製造する方向を示している。ウェブは、平坦なノズルにおける押し出し成形によって作製されることで、薄くなる部分１１５がその作成工程中にフィルムウェブ１２１内に出現する。ここでは、薄くなる部分における材料の厚さ１２３は、フィルムウェブ１２１の材料の厚さ１２４よりかなり小さくなることが明らかである。薄くなる部分１１５は、薄くなる部分１１５の片側のみに材料の厚さ１２４を有する縁部領域として出現する。ウェブは代替として、多層フィルムとして作成される場合もあり、この場合、フィルム層は、薄くなる部分において縮小された材料の厚さ１２３を形成する。
【手続補正２】
【補正対象書類名】特許請求の範囲
【補正対象項目名】全文
【補正方法】変更
【補正の内容】
【特許請求の範囲】
【請求項１】
−第１のプラスチックフィルムで形成された第１（１０２）及び第２の（１０３）重ね合わされた平坦な側部と、
−第２のプラスチックフィルムで形成されて袋の前記平坦な側部（１０２、１０３）の間に配置されているとともに前記平坦な側部（１０２、１０３）の側縁部において縁部領域（１０６）に溶接された、折り畳まれた側部片（１０４）とで形成されており、それぞれの側の平坦な側部（１０２、１０３）に接続された、前記袋（１０１）の側縁部（１０７）から側縁部（１０７）まで延在する雄部分（１１７）と雌部分（１１６）との形態の互いに作用するジッパー部分（１１６、１１７）を含む、ジッパークロージャを備えた前記袋（１０１）であって、前記折り畳まれた側部片（１０４）が前記袋の底縁部から前記袋の頂縁部まで延在し、前記側部片（１０４）の中で、前記平坦な側部（１０２、１０３）に配置された前記ジッパー部分に向かい合わせの領域に材料の薄くなる部分（１１５）が設けられていることで、薄くなった領域における前記側部片（１０４）が、前記雄部分と前記雌部分（１１７、１１６）とが互いに噛み合うと同時に前記側部片の材料がそれらの間に圧締めされることを可能にする材料の厚さを有し、前記第２のプラスチックフィルム（１２１）が多層フィルムで作成された薄くなる部分（１１５）を備え、前記フィルム層は、前記薄くなる部分（１１５）において縮小された材料の厚さ（１２３）を形成することを特徴とする前記袋。
【請求項２】
前記ジッパー部分がストリップ形状であり、前記雄部分が突起を有し、前記雌部分が、前記雄部分の前記突起が前記雌部分の脚部の間に押し込まれる際、前記雄部分の前記突起と、前記折り畳まれた側部片とを収容するように適合されたくぼみを形成する２つの弾性の脚部でできていることを特徴とする、請求項１に記載の前記袋。
【請求項３】
薄くなった部分に向き合う領域における前記側部片が、５から２５μｍ、好ましくは１０から２０μｍの厚さを有することを特徴とする、請求項１または２に記載の前記袋。
【請求項４】
前記平坦な側部及び前記側部片が、５０から２００μｍ、好ましくは８０から１２０μｍの厚さを有するプラスチックフィルムで形成されていることを特徴とする、請求項１、２または３に記載の前記袋。
【請求項５】
前記重ね合わされた第１及び第２の平坦な側部が多層フィルムで作成されており、向い合っている前記第１及び第２の平坦な側部の少なくとも最も外側の層が、溶接可能なプラスチック材料で作成されており、前記平坦な側部に向いている前記側部片の少なくとも最も外側の層が、溶接可能なプラスチック材料で作成されている、先行請求項のいずれか１項に記載の前記袋。
【請求項６】
互いから離れるように向いている前記第１及び前記第２の平坦な側部の少なくとも最も外側の層が、溶接不能なプラスチック材料で作成されていることを特徴とする、請求項５に記載の前記袋。
【請求項７】
前記溶接可能な材料がＰＥまたはＰＰであり、前記溶接不能なプラスチック材料がＰＥＴ、ＯＰＡまたはＯＰＰであることを特徴とする、請求項５または６に記載の前記袋。
【請求項８】
前記ジッパー部分が、前記平坦な側部に溶接または接着されていることを特徴とする、先行請求項のいずれか１項に記載の前記袋。
【請求項９】
前記薄くなる部分が、押し出し成形によって作製された前記薄くなる部分を備えた押し出し成形ウェブの袋の前記側部片を形成することによって形成されていることを特徴とする、先行請求項のいずれか１項に記載の前記袋。
【請求項１０】
前記袋に、折り畳まれた底部も備わっていることを特徴とする、先行請求項のいずれか１項に記載の前記袋。
【請求項１１】
互いに重ね合わされた第１及び第２の平坦な側部（１０２、１０３）と、袋の前記平坦な側部（１０２、１０３）の間に挿入されていてその間で折り畳まれた、前記平坦な側部の側縁部において縁部領域（１０６）に溶接された側部片（１０４）とで形成されており、それぞれの側の平坦な側部に接続された、前記袋（１０１）の側縁部（１０７）から側縁部（１０７）まで延在する雄部分（１１７）と雌部分（１１６）との形態の互いに作用するジッパー部分（１１６、１１７）を含む、ジッパークロージャを備えた前記袋（１０１）を作成する方法であって、第１及び第２の平坦な側部（１０２、１０３）を設けるステップと、平坦な側部を重ね合わせ、ジッパー部分（１１６、１１７）を設け、それらを平坦な側部（１０２、１０３）上に配置するステップと、前記平坦な側部の間に、前記袋の底縁部から前記袋の頂縁部まで延在する折り畳まれた側部片（１０４）を配置するステップとを含み、前記ジッパー部分（１１６、１１７）を配置する前に、前記側部片の中で、前記側部片に設けられた前記ジッパー部分に向かい合わせの領域に材料の薄くなる部分（１１５）を設けられることで、薄くなった領域における前記側部片に、前記雄部分と前記雌部分とが互いに噛み合うと同時に前記側部片（１０４）の材料がそれらの間に圧締めされることを可能にする材料の厚さを与え、前記第２のプラスチックフィルム（１２１）が、多層フィルムで作成された前記薄くなる部分（１１５）を備え、前記フィルム層は、前記薄くなる部分（１１５）において縮小された材料の厚さ（１２３）を形成することを特徴とする前記方法。
【請求項１２】
前記重ね合わされた平坦な側部を多層フィルムで作成し、向い合う前記第１及び第２の平坦な側部の少なくとも最も外側の層を溶接可能なプラスチック材料で作成し、前記平坦な側部を向く前記側部片の少なくとも最も外側の層を溶接可能なプラスチック材料で作成されることを特徴とする、請求項１１に記載の前記方法。
【請求項１３】
互いから離れるほうを向く前記第１及び前記第２の平坦な側部の少なくとも最も外側の層を溶接不能なプラスチック材料で作成することを特徴とする、請求項１１または１２に記載の前記方法。
【請求項１４】
前記溶接可能な材料がＰＥまたはＰＰであり、前記溶接不能なプラスチック材料がＰＥＴ、ＯＰＡまたはＯＰＰであることを特徴とする、請求項１２または１３に記載の前記方法。
【請求項１５】
前記袋を、前記ジッパー部分が長いストリップ状のウェブの中に加えられる連続するウェブにおいて作成し、前記ウェブを、前記ジッパー部分が前記袋の前記側縁部の間に延在する個々の袋アイテムを形成するように切断することを特徴とする、請求項１１〜１４のいずれか１項に記載の前記方法。
【国際調査報告】
2018517630.tif 000013
2018517630.tif 000014
2018517630.tif 000015
2018517630.tif 000016